(57)【特許請求の範囲】
【請求項１】
外皮にケーブル長方向に沿った直線状のラインが描かれた漏洩同軸ケーブルと、
前記漏洩同軸ケーブルを囲むように設けられ、前記漏洩同軸ケーブルを直立させて保持するためのタワーカバーと、
前記タワーカバー内に配置され、前記漏洩同軸ケーブルの上端部を固定する第１の固定治具と、
前記タワーカバー内に配置され、前記漏洩同軸ケーブルの下端部を固定する第２の固定治具と、
を具備してなり、
前記第２の固定治具は、前記ラインが直線となるように前記漏洩同軸ケーブルの捻れを補正し、且つ前記漏洩同軸ケーブルの下端部を下側に引っ張った状態で前記タワーカバーに固定されるものであることを特徴とするタワー型アンテナ。
【請求項２】
前記第２の固定治具は、前記漏洩同軸ケーブルと同軸的に設けられて該ケーブルを固定するリング状の金具の周面に歯車状の溝が形成され、且つ前記金具の上面にテーパが形成されたものであり、
前記タワーカバーは、内面に前記第２の固定治具の金具の溝に係合する溝が形成され、且つ前記金具のテーパに接するテーパが形成されたものであり、
前記各溝の係合位置により前記漏洩同軸ケーブルの捻れを補正し、前記各テーパの接触により前記漏洩同軸ケーブルの下端部を下方向に引っ張ることを特徴とする請求項１記載のタワー型アンテナ。
【請求項３】
前記タワーカバーは、円筒体を軸心方向に沿って２分割したものであり、前記第１及び第２の固定治具を所定の位置に嵌め込んで固定することを特徴とする請求項１又は２に記載のタワー型アンテナ。
【請求項４】
外皮にケーブル長方向に沿った直線状のラインが描かれた漏洩同軸ケーブルと、
前記漏洩同軸ケーブルを囲むように設けられ、前記漏洩同軸ケーブルを直立させて保持するためのタワーカバーと、
前記タワーカバー内に配置され、前記漏洩同軸ケーブルの上端部を固定する第１の固定治具と、
前記漏洩同軸ケーブルの上端に接続された終端抵抗と、
前記タワーカバー内に配置され、前記ラインが直線となるように前記漏洩同軸ケーブルの捻れを補正すると共に、前記漏洩同軸ケーブルに張力を付与した状態で、前記漏洩同軸ケーブルの下端部を固定する第２の固定治具と、
前記漏洩同軸ケーブルの下端にアプローチケーブルを介して接続された無線基地局と、
を具備したことを特徴とする無線通信システム。
【請求項５】
外皮にケーブル長方向に沿った直線状のラインが描かれた漏洩同軸ケーブルと、前記漏洩同軸ケーブルを囲むように設けられ、前記漏洩同軸ケーブルを直立させて保持するためのタワーカバーと、前記タワーカバー内に配置され、前記漏洩同軸ケーブルの上端部を固定する第１の固定治具と、前記タワーカバー内に配置され、前記漏洩同軸ケーブルの下端部を固定する第２の固定治具と、を具備したタワー型アンテナの製造方法であって、
前記第１の固定治具により、前記漏洩同軸ケーブルの上端部を前記タワーカバー内に固定する工程と、
次いで、前記第２の固定治具により、前記ラインが直線となるように前記漏洩同軸ケーブルの下端部の回転方向の位置決めを行うと共に、前記漏洩同軸ケーブルの下端部を下方向に引っ張った状態で前記漏洩同軸ケーブルを前記タワーカバー内に固定する工程と、
を含むことを特徴とするタワー型アンテナの製造方法。
【発明の詳細な説明】
【技術分野】
【０００１】
本発明の実施形態は、漏洩同軸ケーブルを用いたタワー型アンテナに関する。さらに、タワー型アンテナを用いた無線通信システム及びタワー型アンテナの製造方法に関する。
【背景技術】
【０００２】
従来、漏洩同軸ケーブル（ＬＣＸケーブル）を用いた無線通信システムは、無線基地局のアンテナ端子に接続されたＬＣＸケーブルをトンネルや工場内に数十〜数百ｍ以上の長さに配置し、ケーブルに沿った細長い通信可能エリアを作っている。
【０００３】
一方、最近では、会議室やテーブル上などの狭い範囲での用途として、ＬＣＸケーブルの長さを短くした簡易型の無線通信システムが注目されている。例えば、ＬＣＸケーブルをテーブル上に鉛直方向に建てて敷設し、“タワー型アンテナ”として使用した場合、通信可能エリアをテーブル上のみに規制することができる。
【０００４】
しかし、この種の用途に用いるＬＣＸケーブルは、アンテナとしては通常のモノポールアンテナと比べてアンテナ長が長く、その取り扱いが難しい。特に、テーブル上に設けるＬＣＸケーブルは設置面積の制約等から細くする必要があり、このような細いＬＣＸケーブルを自立させるのは容易ではない。さらに、ＬＣＸケーブルからの均一な放射を実現するには、ＬＣＸケーブルを真っ直ぐ直立させると共に捻れを無くす必要があるが、これを実現するのは極めて困難であった。
【先行技術文献】
【特許文献】
【０００５】
【特許文献１】特開２００５−２３６７４５号公報
【発明の概要】
【発明が解決しようとする課題】
【０００６】
発明が解決しようとする課題は、漏洩同軸ケーブルを捻れ無しに真っ直ぐ直立させることができ、通信の安定化に寄与し得るタワー型アンテナ、無線通信システム、及びタワー型アンテナの製造方法を提供することである。
【課題を解決するための手段】
【０００７】
実施形態のタワー型アンテナは、外皮にケーブル長方向に沿った直線状のラインが描かれた漏洩同軸ケーブルと、前記漏洩同軸ケーブルを囲むように設けられ、前記漏洩同軸ケーブルを直立させて保持するためのタワーカバーと、前記タワーカバー内に配置され、前記漏洩同軸ケーブルの上端部を固定する第１の固定治具と、前記タワーカバー内に配置され、前記漏洩同軸ケーブルの下端部を固定する第２の固定治具と、を具備してなる。前記第２の固定治具は、前記ラインが直線となるように前記漏洩同軸ケーブルの捻れを補正し、且つ前記漏洩同軸ケーブルの下端部を下側に引っ張った状態で前記タワーカバーに固定される。
【図面の簡単な説明】
【０００８】
【図１】第１の実施形態に係わる無線通信装置の概略構成を示す斜視図
【図２】図１の無線通信装置に用いたアンテナ部の構成を示す模式図。
【図３】ＬＣＸケーブルの両端に取り付けられる同軸コネクタの構成を示す斜視図。
【図４】ＬＣＸケーブルの上端側の第１の固定治具の構成を示す断面図。
【図５】ＬＣＸケーブルの下端側の第２の固定治具の構成を示す斜視図。
【図６】ＬＣＸケーブルの下端側の第２の固定治具の構成を示す平面図。
【図７】ＬＣＸケーブルの下端側の第２の固定治具の構成を示す断面図。
【発明を実施するための形態】
【０００９】
以下、実施形態の無線通信システムを、図面を参照して説明する。
【００１０】
（第１の実施形態）
図１は、第１の実施形態に係わる無線通信システムを示す概略構成図である。
【００１１】
円形のテーブル１０の中央部にＬＣＸケーブルを用いたタワー型アンテナ２０が設けられ、このアンテナ２０にはアプローチケーブル３０を介して無線ＬＡＮのアクセスポイント（無線基地局）４０が接続されている。
【００１２】
タワー型アンテナ２０は、プラスチック等からなるタワーカバー２１内にＬＣＸケーブル２２を直立して保持したものである。タワーカバー２１は、円筒体を中心軸に沿って２分割したものであり、カバー２１ａ，２１ｂでＬＣＸケーブル２２を挟み込むようになっている。
【００１３】
図２は、タワーカバー２１の一方のカバー２１ａを外した状態を示している。ＬＣＸケーブル２２の外皮には、ケーブルの捻れを認識できるようにケーブル長方向に沿って直線状のライン２３が描かれている。タワーカバー２１内には、ＬＣＸケーブル２２の曲がりを抑制するためのガイド体２９が設けられている。
【００１４】
ＬＣＸケーブル２２の一端（基端）及び他端（終端）には、図３に示すような同軸コネクタ２４がそれぞれ接続されている。同軸コネクタ２４は、断面六角形の部分でＬＣＸケーブル２２を固定するようになっている。
【００１５】
ＬＣＸケーブル２２の終端側の同軸コネクタ２４には終端抵抗２５が接続されている。また、ＬＣＸケーブル２２の終端側の同軸コネクタ２４は、タワーカバー２１内に設置される第１の固定治具２６に固定される。即ち、図４に示すように、同軸コネクタ２４の六角形部分を２つの金具２６ａ，２６ｂで挟み、ネジで金具同士を結合することにより、同軸コネクタ２４が金具２６ａ，２６ｂに固定される。そして、この状態で、固定治具２６をタワーカバー２１内に設置することにより、ＬＣＸケーブル２２の先端側が固定されることになる。
【００１６】
なお、図には示さないが、タワーカバー２１内には第１の固定治具２６が嵌め込まれる凹部が形成され、カバー２１ａ，２１ｂを一体化した状態で第１の固定治具２６を所定の位置に固定できるようになっている。また、タワーカバー２１内で第１の固定治具２６を固定する上下方向の位置を変えられるようにしておけば、長さの異なるＬＣＸケーブルに対応することも可能となる。
【００１７】
ＬＣＸケーブル２２の基端側の同軸コネクタ２４は、図５〜図７に示すような第２の固定治具２７に挟み込まれて固定されるようになっている。第２の固定治具２７を形成する金具は、図５の斜視図に示すように、同軸コネクタ２４の六角形部分が挿入される穴５１を有すると共に、２分割されたリング体２７ａ，２７ｂからなる。リング体２７ａ，２７ｂの周面には、軸方向に沿った歯車状の溝５２が形成されて、リング体２７ａ，２７ｂの上端側の面には中心側が凸のテーパ５３が形成されている。
【００１８】
タワーカバー２１の下部には図６に示すように、第２の固定治具２７の周面の溝５２に対応する溝５５が形成されている。そして、これらの溝５２，５５の結合により、ＬＣＸケーブル２２の下部の回転方向の位置が定められるようになっている。
【００１９】
また、タワーカバー２１の下部には図７に示すように、第２の固定治具２７のテーパ５３に合わせたテーパ５６が形成されている。このテーパ５６は、タワーカバー２１を一体化した際に第２の固定治具２７のテーパ５３と接するようになっている。これにより、２分割されたタワーカバー２１を一体化する際に、第２の固定治具２７が下方向に引っ張られることになる。
【００２０】
つまり、ＬＣＸケーブル２２に形成したライン２３を参照しながら、第２の固定治具２７の溝５２をタワーカバー２１の溝５５に合わせて回転方向の位置決めを行うことにより、ＬＣＸケーブル２２の捻れを防止することができる。さらに、カバー２１ａ，２１ｂを一体化してタワーカバー２１を形成することにより、ＬＣＸケーブル２２の下端部を下方向に引っ張ることになり、ＬＣＸケーブル２２に一定の張力を付与することができる。これにより、ＬＣＸケーブル２２を捻れ無しに真っ直ぐ直立させることが可能となる。
【００２１】
なお、ＬＣＸケーブル２２は、上記のように上端部及び下端部がタワーカバー２１に固定された後に、基端側の同軸コネクタア２４にアプローチケーブル３０が接続される。そして、このアプローチケーブル３０を介してアクセスポイント４０のアンテナ端子等に接続されるものとなっている。
【００２２】
このように本実施形態によれば、ＬＣＸケーブル２２を用いたタワー型アンテナ２０をテーブル１０上に直立して設けることができる。このため、通信可能エリアをテーブル１０上のみに規制することができる。そしてこの場合、ＬＣＸケーブル２２を捻れ無しに一定の張力を持って一直線に固定できるため、通信の信頼性の向上をはかることができる。
【００２３】
（変形例）
なお、本発明は上述した各実施形態に限定されるものではない。
【００２４】
ＬＣＸケーブルの上端部をタワーカバー内に固定する第１の固定治具は、前記図４に何ら限定されるものではなく、仕様に応じて適宜変更可能である。ＬＣＸケーブルの上端部を固定し、タワーカバー２１内に固定できるものであればよい。
【００２５】
ＬＣＸケーブルの下端部をタワーカバー内に固定する第２の固定治具は、前記図５〜図７に何ら限定されるものではなく、仕様に応じて適宜変更可能である。ＬＣＸケーブルの下端部の回転方向位置を規定する機構、ＬＣＸケーブルの下端部を下側に引っ張る機構を有するものであればよい。
【００２６】
本発明の幾つかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２７】
１０…テーブル
２０…タワー型アンテナ
３０…アプローチケーブル
４０…アクセスポイント（無線基地局）
２１…タワーカバー
２２…ＬＣＸケーブル
２３…ライン
２４…同軸コネクタ
２５…終端抵抗
２６…第１の固定治具
２７…第２の固定治具
２９…ガイド体
５１…穴
５２，５５…溝
５３，５６…テーパ
【図１】
0005308488.tif 000002
【図２】
0005308488.tif 000003
【図３】
0005308488.tif 000004
【図４】
0005308488.tif 000005
【図５】
0005308488.tif 000006
【図６】
0005308488.tif 000007
【図７】
0005308488.tif 000008